(57)【要約】【課題】  駆動回路に要求される耐圧性を低減する。【解決手段】  画素Ｐは、走査線１１とデータ線１３との交差に配置される。電圧生成回路４１は、正極性の選択電圧ＶSHおよび負極性の選択電圧ＶSLと非選択電圧（ＶDHおよびＶDL）とを生成する。電圧選択回路４３は、選択電圧ＶSHと非選択電圧とを含む第１の電圧群および選択電圧ＶSLと非選択電圧とを含む第２の電圧群との交互に選択する。走査線駆動回路３１は、電圧選択回路４３が選択した電圧群の選択電圧を各走査線１１に順次に印加するとともに非選択の走査線１１に当該電圧群の非選択電圧を印加する。データ線駆動回路３３は、各データ線１３に対し、走査線駆動回路３１が選択した走査線１１と当該データ線１３との交差に対応する画素Ｐの階調に応じたデータ信号Ｘjを供給する。【選択図】            図１
2006184653.tif 000002
【特許請求の範囲】
【請求項１】
複数の走査線と複数のデータ線との各交差に対応して配置された画素と、
基準電圧に対して正極性および負極性の選択電圧と当該基準電圧に対する絶対値が前記
各選択電圧よりも低い非選択電圧とを生成する電圧生成回路と、
前記正極性の選択電圧と前記非選択電圧とを含む第１の電圧群および前記負極性の選択
電圧と前記非選択電圧とを含む第２の電圧群を交互に選択する電圧選択回路と、
前記電圧選択回路が選択した電圧群の選択電圧を前記複数の走査線の各々に順次に印加
するとともに非選択の走査線に当該電圧群の非選択電圧を印加する走査線駆動回路と、
前記複数のデータ線の各々に対し、前記走査線駆動回路が選択電圧を印加した走査線と
当該データ線との交差に対応する画素の階調に応じたデータ信号を供給するデータ線駆動
回路と
を具備する電気光学装置。
【請求項２】
複数の走査線と複数のデータ線との各交差に対応して配置された画素と、
基準電圧に対して正極性および負極性の選択電圧と当該基準電圧に対する絶対値が前記
各選択電圧よりも低い正極性および負極性の非選択電圧とを生成する電圧生成回路と、
前記正極性の選択電圧と前記正極性および負極性の非選択電圧とを含む第１の電圧群お
よび前記負極性の選択電圧と前記正極性および負極性の非選択電圧とを含む第２の電圧群
を交互に選択する電圧選択回路と、
前記複数の走査線の各々に対し、前記電圧選択回路が選択した電圧群の選択電圧を順次
に印加し、その印加後に当該選択電圧と同極性の非選択電圧を印加する走査線駆動回路と
、
前記複数のデータ線の各々に対し、前記走査線駆動回路が選択電圧を印加した走査線と
当該データ線との交差に対応する画素の階調に応じたデータ信号を供給するデータ線駆動
回路と
を具備する電気光学装置。
【請求項３】
複数の走査線と複数のデータ線との各交差に対応して配置された画素と、
基準電圧に対して正極性および負極性の選択電圧と当該基準電圧に対する絶対値が前記
各選択電圧よりも低い非選択電圧とを生成する電圧生成回路と、
前記正極性の選択電圧と前記非選択電圧とを含む第１の電圧群を第１の期間にて選択し
、前記負極性の選択電圧と前記非選択電圧とを含む第２の電圧群を前記第１の期間とは異
なる第２の期間にて選択する第１の電圧選択回路と、
前記第２の電圧群を前記第１の期間にて選択するとともに前記第１の電圧群を前記第２
の期間にて選択する第２の電圧選択回路と、
前記第１の電圧選択回路が選択した電圧群の選択電圧を前記複数の走査線のうち第１群
に属する走査線の各々に順次に印加するとともに前記第１群に属する走査線のうち非選択
の走査線に当該電圧群の非選択電圧を印加する第１の走査線駆動回路と、
前記第２の電圧選択回路が選択した電圧群の選択電圧を前記複数の走査線のうち前記第
１群とは異なる第２群に属する走査線の各々に順次に印加するとともに前記第２群に属す
る走査線のうち非選択の走査線に当該電圧群の非選択電圧を印加する第２の走査線駆動回
路と、
前記複数のデータ線の各々に対し、前記第１または第２の走査線駆動回路が選択電圧を
印加した走査線と当該データ線との交差に対応する画素の階調に応じたデータ信号を供給
するデータ線駆動回路と
を具備する電気光学装置。
【請求項４】
複数の走査線と複数のデータ線との各交差に対応して配置された画素と、
基準電圧に対して正極性および負極性の選択電圧と当該基準電圧に対する絶対値が前記
各選択電圧よりも低い正極性および負極性の非選択電圧とを生成する電圧生成回路と、
前記正極性の選択電圧と前記正極性および負極性の非選択電圧とを含む第１の電圧群を
第１の期間にて選択し、前記負極性の選択電圧と前記正極性および負極性の非選択電圧と
を含む第２の電圧群を前記第１の期間とは異なる第２の期間にて選択する第１の電圧選択
回路と、
前記第２の電圧群を前記第１の期間にて選択するとともに前記第１の電圧群を前記第２
の期間にて選択する第２の電圧選択回路と、
前記複数の走査線のうち前記第１群に属する走査線の各々に対し、前記第１の電圧選択
回路が選択した電圧群の選択電圧を順次に印加し、その印加後に当該選択電圧と同極性の
非選択電圧を印加する第１走査線駆動回路と、
前記複数の走査線のうち前記第１群とは異なる第２群に属する走査線の各々に対し、前
記第２の電圧選択回路が選択した電圧群の選択電圧を順次に印加し、その印加後に当該選
択電圧と同極性の非選択電圧を印加する第２走査線駆動回路と、
前記複数のデータ線の各々に対し、前記走査線駆動回路が選択電圧を印加した走査線と
当該データ線との交差に対応する画素の階調に応じたデータ信号を供給するデータ線駆動
回路と
を具備する電気光学装置。
【請求項５】
前記第１群の走査線は、前記複数の走査線のうち奇数行および偶数行の一方に属する走
査線であり、前記第２群の走査線は、前記複数の走査線のうち奇数行および偶数行の他方
に属する走査線である
請求項３または請求項４に記載の電気光学装置。
【請求項６】
前記第１および前記第２の電圧選択回路の各々は、前記複数の走査線の各々が１回ずつ
選択される１フレームごとに、前記第１の電圧群および前記第２の電圧群を交互に選択す
る
請求項３または請求項４に記載の電気光学装置。
【請求項７】
前記走査線および前記データ線の一方は、二端子型の非線形素子を介して前記画素に接
続される
請求項３または請求項４に記載の電気光学装置。
【請求項８】
請求項１から請求項７の何れかに記載の電気光学装置を具備する電子機器。
【請求項９】
複数の走査線と複数のデータ線との各交差に対応して画素が配置された電気光学装置を
駆動する回路であって、
基準電圧に対して正極性および負極性の選択電圧と当該基準電圧に対する絶対値が前記
各選択電圧よりも低い非選択電圧とを生成する電圧生成回路と、
前記正極性の選択電圧と前記非選択電圧とを含む第１の電圧群および前記負極性の選択
電圧と前記非選択電圧とを含む第２の電圧群を交互に選択する電圧選択回路と、
前記電圧選択回路が選択した電圧群の選択電圧を前記複数の走査線の各々に順次に印加
するとともに非選択の走査線に当該電圧群の非選択電圧を印加する走査線駆動回路と、
前記複数のデータ線の各々に対し、前記走査線駆動回路が選択電圧を印加した走査線と
当該データ線との交差に対応する画素の階調に応じたデータ信号を供給するデータ線駆動
回路と
を具備する駆動回路。
【請求項１０】
複数の走査線と複数のデータ線との各交差に対応して画素が配置された電気光学装置を
駆動する回路であって、
基準電圧に対して正極性および負極性の選択電圧と当該基準電圧に対する絶対値が前記
各選択電圧よりも低い非選択電圧とを生成する電圧生成回路と、
前記正極性の選択電圧と前記非選択電圧とを含む第１の電圧群を第１の期間にて選択し
、前記負極性の選択電圧と前記非選択電圧とを含む第２の電圧群を前記第１の期間とは異
なる第２の期間にて選択する第１の電圧選択回路と、
前記第２の電圧群を前記第１の期間にて選択するとともに前記第１の電圧群を前記第２
の期間にて選択する第２の電圧選択回路と、
前記第１の電圧選択回路が選択した電圧群の選択電圧を前記複数の走査線のうち第１群
に属する走査線の各々に順次に印加するとともに前記第１群に属する走査線のうち非選択
の走査線に当該電圧群の非選択電圧を印加する第１の走査線駆動回路と、
前記第２の電圧選択回路が選択した電圧群の選択電圧を前記複数の走査線のうち前記第
１群とは異なる第２群に属する走査線の各々に順次に印加するとともに前記第２群に属す
る走査線のうち非選択の走査線に当該電圧群の非選択電圧を印加する第２の走査線駆動回
路と、
前記複数のデータ線の各々に対し、前記第１または第２の走査線駆動回路が選択電圧を
印加した走査線と当該データ線との交差に対応する画素の階調に応じたデータ信号を供給
するデータ線駆動回路と
を具備する駆動回路。
【請求項１１】
複数の走査線と複数のデータ線との各交差に対応して画素が配置された電気光学装置を
駆動する方法であって、
基準電圧に対して正極性および負極性の選択電圧と当該基準電圧に対する絶対値が前記
各選択電圧よりも低い非選択電圧とを生成し、
前記正極性の選択電圧と前記非選択電圧とを含む第１の電圧群および前記負極性の選択
電圧と前記非選択電圧とを含む第２の電圧群を交互に選択し、
前記選択した電圧群の選択電圧を前記複数の走査線の各々に順次に印加するとともに非
選択の走査線に当該電圧群の非選択電圧を印加し、
前記複数のデータ線の各々に対し、前記選択電圧が印加された走査線と当該データ線と
の交差に対応する画素の階調に応じたデータ信号を供給する
電気光学装置の駆動方法。
【請求項１２】
複数の走査線と複数のデータ線との各交差に対応して画素が配置された電気光学装置を
駆動する方法であって、
基準電圧に対して正極性および負極性の選択電圧と当該基準電圧に対する絶対値が前記
各選択電圧よりも低い非選択電圧とを生成するステップと、
前記正極性の選択電圧と前記非選択電圧とを含む第１の電圧群を第１の期間にて選択し
、前記負極性の選択電圧と前記非選択電圧とを含む第２の電圧群を前記第１の期間とは異
なる第２の期間にて選択する第１の電圧選択ステップと、
前記第２の電圧群を前記第１の期間にて選択するとともに前記第１の電圧群を前記第２
の期間にて選択する第２の電圧選択ステップと、
前記第１の電圧選択ステップにて選択した電圧群の選択電圧を前記複数の走査線のうち
第１群に属する走査線の各々に順次に印加するとともに前記第１群に属する走査線のうち
非選択の走査線に当該電圧群の非選択電圧を印加する一方、前記第２の電圧選択ステップ
にて選択した電圧群の選択電圧を前記複数の走査線のうち前記第１群とは異なる第２群に
属する走査線の各々に順次に印加するとともに前記第２群に属する走査線のうち非選択の
走査線に当該電圧群の非選択電圧を印加する走査ステップと、
前記複数のデータ線の各々に対し、前記走査ステップにて選択電圧を印加した走査線と
当該データ線との交差に対応する画素の階調に応じたデータ信号を供給するステップと
を有する電気光学装置の駆動方法。
【発明の詳細な説明】
【技術分野】
【０００１】
本発明は、液晶などの電気光学物質の光学的な特性を制御する技術に関する。
【背景技術】
【０００２】
特に液晶などの電気光学物質は、電圧の直流成分が印加され続けるとその光学的な特性
が劣化することが知られている。このような劣化を抑制するためには交流駆動が必要とな
る。交流駆動とは、所定の電圧を基準として正極性の電圧と負極性の電圧とを交互に切り
替えながら駆動回路から各画素に印加する方法である。例えば特許文献１には、正極性の
選択電圧と負極性の選択電圧とを水平走査期間ごとに交互に切り替えて走査線駆動回路か
ら各走査線に印加する構成が開示されている。
【特許文献１】特開２００２−３６６１２０号公報（段落００３２および図７）
【発明の開示】
【発明が解決しようとする課題】
【０００３】
ところで、この交流駆動を採用した電気光学装置の駆動回路は、正極性の選択電圧から
負極性の選択電圧までの範囲の信号を処理する必要があるから、画素に印加される電圧の
極性を反転させない電気光学装置と比較して、より高い電圧に対する耐久性を備えていな
ければならない。そして、電圧に対する駆動回路の耐久性（以下「耐圧性」という）を充
分に確保するためには、これを構成するトランジスタやダイオードといった各種の素子の
サイズを増加させる必要があり、この結果として駆動回路の規模を増大せざるを得ない。
こうした回路規模の肥大化は、駆動回路の製造コストを増大させるとともに装置の小型化
を阻害するといった種々の問題の原因となる。このような事情に鑑みて、本発明は、駆動
回路に要求される耐圧性の低減という課題の解決を目的としている。
【課題を解決するための手段】
【０００４】
この課題を解決するために、本発明に係る電気光学装置は、複数の走査線と複数のデー
タ線との各交差に対応して配置された画素と、基準電圧に対して正極性および負極性の選
択電圧と当該基準電圧に対する絶対値が各選択電圧よりも低い非選択電圧とを生成する電
圧生成回路と、正極性の選択電圧と非選択電圧とを含む第１の電圧群および負極性の選択
電圧と非選択電圧とを含む第２の電圧群を交互に選択する電圧選択回路と、電圧選択回路
が選択した電圧群の選択電圧を複数の走査線の各々に順次に印加するとともに非選択の走
査線に当該電圧群の非選択電圧を印加する走査線駆動回路と、複数のデータ線の各々に対
し、走査線駆動回路が選択電圧を印加した走査線と当該データ線との交差に対応する画素
の階調に応じたデータ信号を供給するデータ線駆動回路とを具備することを特徴としてい
る。本発明に係る電気光学装置は、典型的には画像を表示するための機器として各種の電
子機器に採用される。この電子機器としては、携帯電話機やパーソナルコンピュータなど
がある。
この構成においては、正極性の選択電圧と非選択電圧とを含む第１の電圧群および負極
性の選択電圧と非選択電圧とを含む第２の電圧群とが交互に選択されて走査線駆動回路に
よる走査線の選択に利用される。したがって、走査線駆動回路は、正極性の選択電圧およ
び非選択電圧の差分値と負極性の選択電圧および非選択電圧の差分値とのうち大きい電圧
に対する耐圧性を備えていれば足り、正極性の選択電圧と負極性の選択電圧との差分値に
相当する電圧への耐圧性までは要しない。したがって、本発明によれば、正極性の選択電
圧と負極性の選択電圧との差分値に相当する電圧への耐圧性が必須となる従来の電気光学
装置と比較して、走査線駆動回路に要求される耐圧性を抑制してその回路規模を低減する
ことができる。
【０００５】
各画素に印加される電圧の極性を反転させる方式としては、各列の画素に印加される電
圧の極性を互いに逆極性とする方式（いわゆる列反転方式）や、走査線およびデータ線が
延在する方向に隣り合う各画素にて電圧の極性を反転させる方式（いわゆるドット反転方
式）のほか、１または複数の行ごとに各画素の電圧の極性を反転させる方式（いわゆるラ
イン反転方式）が知られている。本発明にライン反転方式を採用した電気光学装置は、複
数の走査線と複数のデータ線との各交差に対応して配置された画素と、基準電圧に対して
正極性および負極性の選択電圧と当該基準電圧に対する絶対値が各選択電圧よりも低い非
選択電圧とを生成する電圧生成回路と、正極性の選択電圧と非選択電圧とを含む第１の電
圧群（例えば図３の電圧群Ｌ1）を第１の期間（例えば図３のフレームＦ1およびＦ3）に
て選択し、負極性の選択電圧と非選択電圧とを含む第２の電圧群（例えば図３の電圧群Ｌ
2）を第１の期間とは異なる第２の期間（例えば図３のフレームＦ2）にて選択する第１の
電圧選択回路（例えば図１の電圧選択回路４３ａ）と、第２の電圧群を第１の期間にて選
択するとともに第１の電圧群を第２の期間にて選択する第２の電圧選択回路（例えば図１
の電圧選択回路４３ｂ）と、第１の電圧選択回路が選択した電圧群の選択電圧を複数の走
査線のうち第１群に属する走査線（例えば奇数列目の走査線）の各々に順次に印加すると
ともに第１群に属する走査線のうち非選択の走査線に当該電圧群の非選択電圧を印加する
第１の走査線駆動回路（例えば図１の走査線駆動回路３１ａ）と、第２の電圧選択回路が
選択した電圧群の選択電圧を複数の走査線のうち第１群とは異なる第２群に属する走査線
（例えば偶数列目の走査線）の各々に順次に印加するとともに第２群に属する走査線のう
ち非選択の走査線に当該電圧群の非選択電圧を印加する第２の走査線駆動回路（例えば図
１の走査線駆動回路３１ｂ）と、複数のデータ線の各々に対し、第１または第２の走査線
駆動回路が選択電圧を印加した走査線と当該データ線との交差に対応する画素の階調に応
じたデータ信号を供給するデータ線駆動回路とを具備する。例えば、複数の走査線のうち
奇数行および偶数行の一方に属する走査線を第１群に区分し、複数の走査線のうち奇数行
および偶数行の他方に属する走査線を第２群に区分すれば、１行ごとに電圧の極性が反転
する構成となる。
この構成においては、第１群の走査線に対応した各画素と第２群の走査線に対応した各
画素とで電圧の極性が反転する。一方、第１および第２の走査線駆動回路の各々において
は、正極性の選択電圧と非選択電圧とを含む第１の電圧群および負極性の選択電圧と非選
択電圧とを含む第２の電圧群の一方のみが利用される。したがって、本発明によれば、第
１および第２の走査線駆動回路の双方について、耐圧性を抑制して回路規模を低減すると
いう効果が奏される。
【０００６】
なお、本発明においては、複数の走査線の各々が１回ずつ選択される１フレーム（垂直
走査期間）ごとに各画素の電圧の極性を反転させる方式（いわゆるフレーム反転方式）も
採用される。この構成において、第１および第２の電圧選択回路の各々は、第１の電圧群
および第２の電圧群をフレームごとに交互に選択する。すなわち、ひとつのフレームが第
１の期間に相当し、その直後のフレームが第２の期間に相当する。この態様によれば、電
気光学物質に対する直流成分の印加を充分に抑制することができる。
【０００７】
ところで、画素に印加される電圧を制御するための非線形素子として、二端子型の非線
形素子（例えばＴＦＤ素子）と三端子型の非線形素子とが知られている。このうち二端子
型の非線形素子においては、これをオン状態およびオフ状態の一方から他方に切り替える
ために必要な閾値となる電圧が三端子型の非線形素子と比較して高いという傾向がある。
したがって、二端子型の非線形素子を利用した電気光学装置の駆動回路には、三端子型の
非線形素子を利用した構成よりも高い耐圧性が必要となる。この事情を考慮すると、駆動
回路の耐圧性を抑制するという本発明の効果は、走査線およびデータ線の一方が二端子型
の非線形素子を介して画素に接続された電気光学装置において特に顕著となる。
【０００８】
本発明の望ましい態様において、電圧生成回路は、正極性および負極性の選択電圧と、
基準電圧に対して正極性および負極性の非選択電圧を生成し、第１の電圧群は、正極性の
選択電圧と、正極性および負極性の非選択電圧とを含み、第２の電圧群は、負極性の選択
電圧と、正極性および負極性の非選択電圧とを含み、第１および第２の走査線駆動回路の
各々は、各走査線に対して、選択電圧を印加した後に当該選択電圧と同極性の非選択電圧
を印加する。この態様によれば、非選択の走査線に対しても電圧の直流成分の印加が抑制
される。
【０００９】
一方、本発明に係る駆動回路は、基準電圧に対して正極性および負極性の選択電圧と当
該基準電圧に対する絶対値が各選択電圧よりも低い非選択電圧とを生成する電圧生成回路
と、正極性の選択電圧と非選択電圧とを含む第１の電圧群および負極性の選択電圧と非選
択電圧とを含む第２の電圧群を交互に選択する電圧選択回路と、電圧選択回路が選択した
電圧群の選択電圧を複数の走査線の各々に順次に印加するとともに非選択の走査線に当該
電圧群の非選択電圧を印加する走査線駆動回路と、複数のデータ線の各々に対し、走査線
駆動回路が選択電圧を印加した走査線と当該データ線との交差に対応する画素の階調に応
じたデータ信号を供給するデータ線駆動回路とを具備する。より具体的な態様に係る駆動
回路は、複数の走査線と複数のデータ線との各交差に対応して配置された画素と、基準電
圧に対して正極性および負極性の選択電圧と当該基準電圧に対する絶対値が各選択電圧よ
りも低い正極性および負極性の非選択電圧とを生成する電圧生成回路と、正極性の選択電
圧と正極性および負極性の非選択電圧とを含む第１の電圧群および負極性の選択電圧と正
極性および負極性の非選択電圧とを含む第２の電圧群を交互に選択する電圧選択回路と、
複数の走査線の各々に対し、電圧選択回路が選択した電圧群の選択電圧を順次に印加し、
その印加後に当該選択電圧と同極性の非選択電圧を印加する走査線駆動回路と、複数のデ
ータ線の各々に対し、走査線駆動回路が選択電圧を印加した走査線と当該データ線との交
差に対応する画素の階調に応じたデータ信号を供給するデータ線駆動回路とを具備する。
これらの態様によれば、本発明に係る電気光学装置と同様の理由により、走査線駆動回路
に要求される耐圧性を抑制してその回路規模を低減することができる。なお、本発明に係
る駆動回路を構成する各回路はひとつのＩＣチップに搭載されていてもよいし各々が別個
のＩＣチップに搭載されていてもよい。
また、他の態様に係る駆動回路は、基準電圧に対して正極性および負極性の選択電圧と
当該基準電圧に対する絶対値が各選択電圧よりも低い非選択電圧とを生成する電圧生成回
路と、正極性の選択電圧と非選択電圧とを含む第１の電圧群を第１の期間にて選択し、負
極性の選択電圧と非選択電圧とを含む第２の電圧群を第１の期間とは異なる第２の期間に
て選択する第１の電圧選択回路と、第２の電圧群を第１の期間にて選択するとともに第１
の電圧群を第２の期間にて選択する第２の電圧選択回路と、第１の電圧選択回路が選択し
た電圧群の選択電圧を複数の走査線のうち第１群に属する走査線の各々に順次に印加する
とともに第１群に属する走査線のうち非選択の走査線に当該電圧群の非選択電圧を印加す
る第１の走査線駆動回路と、第２の電圧選択回路が選択した電圧群の選択電圧を複数の走
査線のうち第１群とは異なる第２群に属する走査線の各々に順次に印加するとともに第２
群に属する走査線のうち非選択の走査線に当該電圧群の非選択電圧を印加する第２の走査
線駆動回路と、複数のデータ線の各々に対し、第１または第２の走査線駆動回路が選択電
圧を印加した走査線と当該データ線との交差に対応する画素の階調に応じたデータ信号を
供給するデータ線駆動回路とを具備する。より具体的には、この態様に係る駆動回路は、
基準電圧に対して正極性および負極性の選択電圧と当該基準電圧に対する絶対値が各選択
電圧よりも低い正極性および負極性の非選択電圧とを生成する電圧生成回路と、正極性の
選択電圧と正極性および負極性の非選択電圧とを含む第１の電圧群を第１の期間にて選択
し、負極性の選択電圧と正極性および負極性の非選択電圧とを含む第２の電圧群を第１の
期間とは異なる第２の期間にて選択する第１の電圧選択回路と、第２の電圧群を第１の期
間にて選択するとともに第１の電圧群を第２の期間にて選択する第２の電圧選択回路と、
複数の走査線のうち第１群に属する走査線の各々に対し、第１の電圧選択回路が選択した
電圧群の選択電圧を順次に印加し、その印加後に当該選択電圧と同極性の非選択電圧を印
加する第１走査線駆動回路と、複数の走査線のうち第１群とは異なる第２群に属する走査
線の各々に対し、第２の電圧選択回路が選択した電圧群の選択電圧を順次に印加し、その
印加後に当該選択電圧と同極性の非選択電圧を印加する第２走査線駆動回路と、複数のデ
ータ線の各々に対し、走査線駆動回路が選択電圧を印加した走査線と当該データ線との交
差に対応する画素の階調に応じたデータ信号を供給するデータ線駆動回路とを具備する。
【００１０】
本発明は電気光学装置を駆動する方法としても特定される。この駆動方法は、複数の走
査線と複数のデータ線との各交差に対応して画素が配置された電気光学装置を駆動する方
法であって、基準電圧に対して正極性および負極性の選択電圧と当該基準電圧に対する絶
対値が各選択電圧よりも低い非選択電圧とを生成し、正極性の選択電圧と非選択電圧とを
含む第１の電圧群および負極性の選択電圧と非選択電圧とを含む第２の電圧群を交互に選
択し、選択した電圧群の選択電圧を複数の走査線の各々に順次に印加するとともに非選択
の走査線に当該電圧群の非選択電圧を印加し、複数のデータ線の各々に対し、選択電圧が
印加された走査線と当該データ線との交差に対応する画素の階調に応じたデータ信号を供
給することを特徴とする。より具体的な態様に係る駆動方法は、基準電圧に対して正極性
および負極性の選択電圧と当該基準電圧に対する絶対値が各選択電圧よりも低い正極性お
よび負極性の非選択電圧とを生成し、正極性の選択電圧と正極性および負極性の非選択電
圧とを含む第１の電圧群および負極性の選択電圧と正極性および負極性の非選択電圧とを
含む第２の電圧群を交互に選択し、複数の走査線の各々に対し、選択した電圧群の選択電
圧を順次に印加し、その印加後に当該選択電圧と同極性の非選択電圧を印加し、複数のデ
ータ線の各々に対し、選択電圧を印加した走査線と当該データ線との交差に対応する画素
の階調に応じたデータ信号を供給する。この駆動方法によれば、本発明に係る電気光学装
置と同様の理由により、走査線駆動回路に要求される耐圧性を抑制してその回路規模を低
減することができる。
また、他の態様に係る駆動方法は、基準電圧に対して正極性および負極性の選択電圧と
当該基準電圧に対する絶対値が各選択電圧よりも低い非選択電圧とを生成するステップと
、正極性の選択電圧と非選択電圧とを含む第１の電圧群を第１の期間にて選択し、負極性
の選択電圧と非選択電圧とを含む第２の電圧群を第１の期間とは異なる第２の期間にて選
択する第１の電圧選択ステップと、第２の電圧群を第１の期間にて選択するとともに第１
の電圧群を第２の期間にて選択する第２の電圧選択ステップと、第１の電圧選択ステップ
にて選択した電圧群の選択電圧を複数の走査線のうち第１群に属する走査線の各々に順次
に印加するとともに第１群に属する走査線のうち非選択の走査線に当該電圧群の非選択電
圧を印加する一方、第２の電圧選択ステップにて選択した電圧群の選択電圧を複数の走査
線のうち第１群とは異なる第２群に属する走査線の各々に順次に印加するとともに第２群
に属する走査線のうち非選択の走査線に当該電圧群の非選択電圧を印加する走査ステップ
と、複数のデータ線の各々に対し、走査ステップにて選択電圧を印加した走査線と当該デ
ータ線との交差に対応する画素の階調に応じたデータ信号を供給するデータ信号供給ステ
ップとを有する。より具体的な態様に係る駆動方法は、基準電圧に対して正極性および負
極性の選択電圧と当該基準電圧に対する絶対値が各選択電圧よりも低い正極性および負極
性の非選択電圧とを生成するステップと、正極性の選択電圧と正極性および負極性の非選
択電圧とを含む第１の電圧群を第１の期間にて選択し、負極性の選択電圧と正極性および
負極性の非選択電圧とを含む第２の電圧群を第１の期間とは異なる第２の期間にて選択す
る第１の電圧選択ステップと、第２の電圧群を第１の期間にて選択するとともに第１の電
圧群を第２の期間にて選択する第２の電圧選択ステップと、複数の走査線のうち第１群に
属する走査線の各々に対し、第１の電圧選択ステップにて選択した電圧群の選択電圧を順
次に印加し、その印加後に当該選択電圧と同極性の非選択電圧を印加する一方、複数の走
査線のうち第１群とは異なる第２群に属する走査線の各々に対し、第２の電圧選択ステッ
プにて選択した電圧群の選択電圧を順次に印加し、その印加後に当該選択電圧と同極性の
非選択電圧を印加する走査ステップと、複数のデータ線の各々に対し、選択電圧を印加し
た走査線と当該データ線との交差に対応する画素の階調に応じたデータ信号を供給するス
テップとを有する。
【発明を実施するための最良の形態】
【００１１】
＜Ａ：電気光学装置の構成＞
図１は、本発明の実施形態に係る電気光学装置の構成を示すブロック図である。同図に
示されるように、電気光学装置Ｄは、電気光学パネル１０と、制御回路３７と、電圧出力
回路４０とを有する。このうち電気光学パネル１０は、Ｙ方向（列方向）に延在するｎ本
のデータ線１３が形成された素子基板と、Ｙ方向に直交するＸ方向（行方向）に延在する
ｍ本の走査線１１が形成された対向基板とが互いに対向するように貼り合わされ、これら
の基板の間隙に電気光学物質たる液晶が封止された構成となっている（ｎおよびｍはとも
に自然数）。走査線１１は、ＩＴＯ（Indium Tin Oxide）などの光透過性を有する導電性
材料によって形成された帯状の電極である。データ線１３と走査線１１とが交差する各地
点には画素Ｐが形成される。したがって、これらの画素Ｐは、Ｘ方向およびＹ方向にわた
って縦ｍ行×横ｎ列のマトリクス状に配列する。
【００１２】
図２は、画素Ｐの構成を示す回路図である。同図に示されるように、各画素Ｐは、互い
に直列に接続されたＴＦＤ（Thin Film Diode）素子と画素容量１５３（液晶容量）とを
有する。このうち画素容量１５３は、走査線１１と画素電極（図示略）と両者の間隙に介
在する液晶とからなる容量である。各画素電極は、素子基板の表面に形成された略矩形状
の電極であり、各々が走査線１１と対向するように各データ線１３の間隙に配列される。
一方、ＴＦＤ素子１５１は、画素容量１５３とは反対側の端部がデータ線１３に接続され
た二端子型の非線形抵抗素子である。このＴＦＤ素子１５１は、導電体／絶縁体／導電体
の積層構造を有し、電流−電圧特性が正負の双方向にわたって非線形となるダイオードス
イッチング特性を呈する。すなわち、ＴＦＤ素子１５１は、両端に印加された電圧が閾値
を越えるとオン状態（導通状態）となり、この電圧が閾値を下回るとオフ状態（非導通状
態）となる。
【００１３】
図１に示される制御回路３７は、各種の制御信号や画像データＤgを電気光学パネル１
０に供給する。制御回路３７から電気光学パネル１０に供給される信号としては交流駆動
信号ＦＲがある。この交流駆動信号ＦＲは、フレーム（垂直走査期間）ごとに論理レベル
が反転する信号である（図３および図５参照）。一方、画像データＤgは、各画素Ｐの階
調（輝度）を８段階にて指定する３ビットのデータである。本実施形態においては、画像
データＤg［０００］によって最も明るい白色の階調が指定される一方、画像データＤgの
数値が増加するにつれて暗い階調が指定され、画像データＤg［１１１］によって最も暗
い黒色の階調が指定されるものとする。なお、本実施形態における電気光学パネル１０は
、画素容量１５３に対して電圧が印加されていないときに白色が表示されるノーマリホワ
イトモードの表示パネルである。ただし、ノーマリブラックモードの電気光学パネルにも
本発明は適用される。
【００１４】
電気光学パネル１０には、データ線駆動回路３３と２つの走査線駆動回路３１（３１ａ
，３１ｂ）とが実装される。合計ｍ本の走査線１１のうち図１の上方から数えて奇数行目
に属する各走査線１１は走査線駆動回路３１ａに接続され、偶数行目に属する各走査線１
１は走査線駆動回路３１ｂに接続される。これらの走査線駆動回路３１ａおよび３１ｂが
並列に動作することにより、各走査線１１には、この走査線１１を選択するための走査信
号Ｙ1、Ｙ2、……、Ｙmが供給される。第ｉ行目の走査線１１に供給される走査信号Ｙiは
、各フレームのうち第ｉ番目の水平走査期間（１Ｈ）にて選択電圧となり、それ以外の期
間にて非選択電圧となる電圧信号である。一方、データ線駆動回路３３は、画像データＤ
gによって指定される階調に応じたデータ信号Ｘ1、Ｘ2、……、Ｘnを各データ線１３に出
力する。なお、各走査線駆動回路３１やデータ線駆動回路３３の詳細な動作については後
述する。
【００１５】
図１に示される電圧出力回路４０は、電圧生成回路４１と２つの電圧選択回路４３（４
３ａ，４３ｂ）とを有する。このうち電圧生成回路４１は、電気光学パネル１０にて使用
される種々の電圧を電池などの電源（図示略）から生成する回路である。本実施形態にお
ける電圧生成回路４１は、電圧ＶSHおよび電圧ＶSLと電圧ＶDHおよび電圧ＶDLという４種
類の電圧を生成する。このうち電圧ＶSHおよびＶSLは走査信号Ｙi（ｉは１≦ｉ≦ｍを満
たす整数）の選択電圧として採択される。また、電圧ＶDHおよびＶDLは、走査信号Ｙiの
非選択電圧やデータ信号Ｘj（ｊは１≦ｊ≦ｎを満たす整数）の電圧として採択される。
【００１６】
電圧ＶDHおよびＶDLは、各々が走査線１１に印加されたときに、データ線１３に供給さ
れるデータ信号Ｘjの電圧に拘わらずＴＦＤ素子１５１がオフ状態となるレベルに設定さ
れている。一方、選択電圧たる電圧ＶSHおよびＶSLは、各々が走査線１１に印加されたと
きに、データ線１３に供給されるデータ信号Ｘjの電圧に拘わらずＴＦＤ素子１５１がオ
ン状態となるレベルに設定されている。このうち電圧ＶSHは、電圧ＶDHと電圧ＶDLとの中
心の電圧（以下「基準電圧」という）Ｖcに対して正極性（高位側）の電圧であり、電圧
ＶSLは基準電圧Ｖcに対して負極性（低位側）の電圧である。電圧ＶSHと電圧ＶSLとは基
準電圧Ｖcからみた絶対値が互いに等しい。電圧ＶSHまたはＶSLの印加によってＴＦＤ素
子１５１がオン状態になると、このＴＦＤ素子１５１に接続された画素容量１５３には、
当該選択電圧とデータ信号Ｘjの電圧との差分に応じた電荷が蓄積される。そして、その
後に非選択電圧たる電圧ＶDHまたは電圧ＶDLが走査線１１に印加されてＴＦＤ素子１５１
がオフ状態に遷移しても画素容量１５３における電荷の蓄積は維持される。したがって、
走査線１１に対して選択電圧ＶSHまたはＶSLが印加されたときのデータ信号Ｘjの電圧に
応じて所望の階調が表示される。
【００１７】
各電圧選択回路４３（４３ａおよび４３ｂ）は、制御回路３７から供給される交流化駆
動信号ＦＲに基づいて、電圧生成回路４１が生成した４種類の電圧のなかから３種類の電
圧を選択して電圧Ｖ1ないしＶ3として出力する回路である。図３は、電圧選択回路４３ａ
および４３ｂが選択する電圧の変化の様子を示すタイミングチャートである。同図におい
ては便宜的に、電圧Ｖ1が破線で示され、電圧Ｖ2が実線で示され、電圧Ｖ3が一点鎖線で
示されている。図３に示されるように、電圧選択回路４３は、電圧生成回路４１が生成し
た４種類の電圧のうち高位側から数えて３種類の電圧（ＶSH、ＶDHおよびＶDL）を含む第
１の電圧群Ｌ1と、低位側から数えて３種類の電圧（ＶDH、ＶDLおよびＶSL）を含む第２
の電圧群Ｌ2とを、フレームごとに交互に選択して出力する。さらに、電圧選択回路４３
ａから出力される電圧群と電圧選択回路４３ｂから出力される電圧群とは相違する。
【００１８】
より具体的には、電圧選択回路４３ａは、交流化駆動信号ＦＲがＨレベルとなるフレー
ム（図３におけるフレームＦ1およびＦ3）において第１の電圧群Ｌ1を選択したうえで、
これに含まれる電圧ＶSHを電圧Ｖ1として、電圧ＶDHを電圧Ｖ2として、電圧ＶDLを電圧Ｖ
3として、それぞれ出力する。また、電圧選択回路４３ａは、交流化駆動信号ＦＲがＬレ
ベルとなるフレーム（図３におけるフレームＦ2）において第２の電圧群Ｌ2を選択し、電
圧ＶDHを電圧Ｖ1として、電圧ＶDLを電圧Ｖ2として、電圧ＶSLを電圧Ｖ3として、それぞ
れ出力する。これに対し、電圧選択回路４３ｂは、交流化駆動信号ＦＲがＨレベルとなる
フレームＦ1およびＦ3において第２の電圧群Ｌ2を選択して出力する一方、交流化駆動信
号ＦＲがＬレベルとなるフレームＦ2において第１の電圧群Ｌ1を選択して出力する。電圧
選択回路４３ａから出力された電圧Ｖ1ないしＶ3は走査線駆動回路３１ａにおいて奇数行
目の走査信号Ｙiの生成に利用され、電圧選択回路４３ｂから出力された電圧Ｖ1ないしＶ
3は走査線駆動回路３１ｂにおいて偶数行目の走査信号Ｙiの生成に利用される。
【００１９】
次に、図４は、走査線駆動回路３１の具体的な構成を示すブロック図であり、図５は、
走査線駆動回路３１の動作を説明するためのタイミングチャートである。なお、図５にお
いて符号「Ｌ」が付された信号は走査線駆動回路３１ａによる処理に係る信号であり、符
号「Ｒ」が付された信号は走査線駆動回路３１ｂによる処理に係る信号である。また、以
下では奇数行目の走査線１１を駆動する走査線駆動回路３１ａの構成を説明するが、偶数
行目の走査線１１を駆動する走査線駆動回路３１ｂの構成も同様である。
【００２０】
図４に示されるシフトレジスタ３１１は、奇数行目の走査線１１の総本数に相当するｍ
／２ビットの段数を有し、図５に示されるように、１垂直走査期間の最初に供給されるス
タートパルスＤＹをクロック信号ＣＬＹに同期して順次にシフトし、その各々を転送信号
Ｙs1、Ｙs3、……、Ｙsm-1として出力する回路である。クロック信号ＣＬＹは、図５に示
されるように、１水平走査期間（１Ｈ）の時間長に相当する周期を有する。何れかの転送
信号Ｙsiがアクティブレベル（Ｈレベル）になると、第ｉ行目の走査線１１を選択すべき
水平走査期間であることが指示される。
【００２１】
図４に示される電圧選択信号生成回路３１３は、転送信号Ｙs1ないしＹsm-1と交流化駆
動信号ＦＲとに基づいて、各行の走査線１１に印加されるべき電圧を指定する電圧選択信
号Ｙsel（Ｙsel1、Ｙsel2およびＹsel3）を出力する。電圧選択信号Ｙsel1ないしＹsel3
は、互いに排他的にアクティブレベル（Ｈレベル）となる信号である。このうち電圧選択
信号Ｙsel1がアクティブレベルになると電圧Ｖ1の選択が指示される。同様に、電圧選択
信号Ｙsel2およびＹsel3がアクティブレベルになると、それぞれ電圧Ｖ2および電圧Ｖ3の
選択が指示される。
【００２２】
セレクタ群３１５は、奇数行目に属する１本の走査線１１ごとに３個のスイッチＳＷを
有する。これらのスイッチＳＷの一端は、それぞれ電圧Ｖ1、Ｖ2およびＶ3の供給線に接
続され、各々の他端は１本の走査線１１に対して共通に接続される。各スイッチＳＷのゲ
ート端子には、それぞれ電圧選択信号Ｙsel1、Ｙsel2およびＹsel3が供給される。そして
、各スイッチＳＷは、ゲート端子に供給される電圧選択信号Ｙsel（Ｙsel1、Ｙsel2また
はＹsel3）がアクティブレベルになるとオン状態（導通状態）となる。したがって、各走
査線１１には、その走査線１１に対応する３個のスイッチＳＷのうち択一的にオン状態と
されたスイッチＳＷを介して電圧Ｖ1ないしＶ3の何れかが印加される。
【００２３】
次に、特に電圧選択信号生成回路３１３の動作に着目しながら、各走査信号Ｙiの具体
的な波形について説明する。図５に示されるように、走査線駆動回路３１は、第ｉ番目の
水平走査期間にて転送信号Ｙsiによって選択された走査線１１に対し、その水平走査期間
を時間軸上にて２等分した後半期間（１／２Ｈ）にて電圧ＶSHまたは電圧ＶSLを選択電圧
として印加する一方、それ以外の期間においては非選択電圧たる電圧ＶDHまたは電圧ＶDL
を印加する。すなわち、走査線駆動回路３１ａの電圧選択信号生成回路３１３は、転送信
号Ｙsiがアクティブレベルとなる水平走査期間の後半期間において、交流化駆動信号ＦＲ
がＨレベルであれば、電圧Ｖ1（＝ＶSH）を指定するための電圧選択信号Ｙsel1をアクテ
ィブレベルとし、交流化駆動信号ＦＲがＬレベルであれば、電圧Ｖ3（＝ＶSL）を選択す
るための電圧選択信号Ｙsel3をアクティブレベルとする。一方、走査線駆動回路３１ｂの
電圧選択信号生成回路３１３は、転送信号Ｙsiがアクティブレベルとなる水平走査期間の
後半期間において、交流化駆動信号ＦＲがＨレベルであれば、電圧Ｖ3（＝ＶSL）を指定
する電圧選択信号Ｙsel3をアクティブレベルとし、交流化駆動信号ＦＲがＬレベルであれ
ば、電圧Ｖ1を選択する電圧選択信号Ｙsel1をアクティブレベルとする。また、走査線駆
動回路３１ａおよび３１ｂの各々の電圧選択信号生成回路３１３は、この後半期間の終点
が到来して転送信号Ｙsiが非アクティブレベルに遷移すると、交流化駆動信号ＦＲのレベ
ルに拘わらず電圧選択信号Ｙsel2をアクティブレベルとし、次に第ｉ行目の走査線１１が
選択される水平走査期間までその状態を維持する。
【００２４】
以上の動作の結果、各走査信号Ｙ1ないしＹmは以下のような波形となる。すなわち、ま
ず、交流化駆動信号ＦＲがＨレベルとなるフレーム（図３におけるフレームＦ1およびＦ3
）において、奇数行目の走査線１１に供給される走査信号Ｙiは、第ｉ番目の水平走査期
間の後半期間において正極性の選択電圧たる電圧ＶSHとなり、その経過後にはこれと同極
性の非選択電圧たる電圧ＶDHとなる。また、これらのフレームにおいて、偶数行目の走査
線１１に供給される走査信号Ｙiは、第ｉ番目の水平走査期間の後半期間において負極性
の選択電圧たる電圧ＶSLとなり、その経過後にはこれと同極性の非選択電圧たる電圧ＶDL
となる。つまり、ｍ本の各走査線１１には１行ごとに逆極性の選択電圧が印加されること
になる。また、交流化駆動信号ＦＲがＬレベルとなるフレーム（図３におけるフレームＦ
2）においては走査信号Ｙiの極性がその前後のフレームとは逆転する。すなわち、交流化
駆動信号ＦＲがＬレベルとなるフレームにおいて、奇数行目に対応する走査信号Ｙiは、
第ｉ番目の水平走査期間の後半期間において負極性の選択電圧たる電圧ＶSLとなり、その
経過後にはこれと同極性の非選択電圧たる電圧ＶDLとなる。また、偶数行目に対応する走
査信号Ｙiは、水平走査期間の後半期間にて電圧ＶSHとなり、その経過後には電圧ＶDHと
なる。
【００２５】
次に、図６は、画像データＤgによって指定される階調ごとにデータ信号Ｘjの波形を示
すタイミングチャートである。同図に示されるように、第ｉ行目の走査信号Ｙiが選択電
圧となる水平走査期間の後半期間において、第ｊ列目のデータ線１３に供給されるデータ
信号Ｘjは、第ｉ行に属する第ｊ列目の画素Ｐの画像データＤgに応じた時間長にわたって
点灯電圧となり、その残余の期間において非点灯電圧となる。そして、この点灯電圧が印
加される期間の長短に応じて各画素Ｐの階調が制御される（パルス幅変調による階調制御
）。ここで、点灯電圧とは、走査線１１に印加される選択電圧が正極性の電圧ＶSHであれ
ば負極性の電圧ＶDLであり、選択電圧が負極性の電圧ＶSLであれば正極性の電圧ＶDHであ
る。これに対し、非点灯電圧とは、電圧ＶDHおよび電圧ＶDLのうち選択電圧と同極性の電
圧である。一方、図６に示されるように、後半期間の直前の前半期間において、データ信
号Ｘjは、その後半期間とは極性を逆転させた波形となる。したがって、画素Ｐの階調に
拘わらず、１水平走査期間のうちデータ信号Ｘjが電圧ＶDHとなる時間長と電圧ＶDLとな
る時間長とは等しい。この駆動方法によれば、走査線１１が選択されていない期間におい
て画素Ｐ（より厳密には画素容量１５３）に印加される電圧実効値が総ての画素Ｐについ
て等しくなるから、白色を表示する画素Ｐと黒色を表示する画素ＰとがＸ方向およびＹ方
向にわたって交互に配置される市松模様や、１行ごとに白色および黒色が反転するゼブラ
パターンなどを表示する場合であっても、Ｙ方向（縦方向）の表示ムラが抑制される。
【００２６】
以上に説明したように、本実施形態においては、正極性の選択電圧ＶSHおよび正極性の
非選択電圧ＶDHを含む第１の電圧群Ｌ1と、負極性の選択電圧ＶSLおよび負極性の非選択
電圧ＶDLを含む第２の電圧群Ｌ2とが交互に選択されて走査線駆動回路３１における走査
線１１の生成に利用される。したがって、走査線駆動回路３１は、正極性の選択電圧ＶSH
と負極性の非選択電圧ＶDLとの差分値ΔＶ（図３参照）、または負極性の選択電圧ＶSLと
正極性の非選択電圧ＶDHとの差分値ΔＶに対する耐圧性を備えていれば足り、正極性の選
択電圧ＶSHと負極性の選択電圧ＶSLとの差分値に相当する電圧への耐圧性までは要求され
ない。したがって、本実施形態によれば、電圧ＶSLから電圧ＶSHまでの耐圧性が必須とな
る従来の電気光学装置と比較して、各走査線駆動回路３１に要求される耐圧性を抑制して
その回路規模を縮小することができる。
【００２７】
なお、電圧選択回路４３ａおよび４３ｂを従来の構成に追加する必要があるという点の
みに着目すれば、電気光学装置Ｄに係る回路の規模は増大することになる。しかしながら
、幾つかのスイッチによって構成される電圧選択回路４３ａや４３ｂの回路規模は走査線
駆動回路３１と比較して充分に小さく、さらに、耐圧性の低減によって走査線駆動回路３
１の回路規模は大幅に縮小されるから、本実施形態によれば、電圧選択回路４３ａおよび
４３ｂの配置による回路規模の増大を大幅に越える程度に走査線駆動回路３１の回路規模
を縮小することができる。したがって、本実施形態において電圧選択回路４３ａや４３ｂ
を新たに配置する必要があるとは言っても、電気光学装置Ｄの全体としてみると回路の規
模は確かに縮小される。
【００２８】
＜Ｂ：変形例＞
以上の実施形態に対しては種々の変形が施される。具体的な変形の態様を例示すれば以
下の通りである。なお、以下の各態様を適宜に組み合わせてもよい。
【００２９】
（１）実施形態においては２つの走査線駆動回路３１ａおよび３１ｂを備えた電気光学装
置Ｄを例示したが、総ての走査線１１がひとつの走査線駆動回路３１に接続された構成も
採用される。この構成においては、走査線駆動回路３１の前段にひとつの電圧選択回路４
３を配置すれば足りる。この電圧選択回路４３は、図３に示した電圧選択回路４３ａおよ
び４３ｂのうち何れか一方と同様に電圧Ｖ1ないしＶ3を出力する。また、実施形態におい
ては総ての走査線１１を奇数行目と偶数行目とで区分してその各々を別個の走査線駆動回
路３１ａおよび３１ｂによって駆動する構成を例示したが、走査線１１の区分の仕方はこ
れに限られない。例えば、ｍ本の走査線１１を第１行目から第ｍ／２行目までのグループ
と第（ｍ／２＋１）行目から第ｍ行目までのグループとに区分し、各々のグループに属す
る走査線１１が別個の走査線駆動回路３１によって駆動される構成としてもよい。したが
って、１垂直走査期間において逆極性の走査信号Ｙiが供給される走査線１１の単位も１
本に限られず、例えば２本の走査線１１ごとに走査信号Ｙiの極性を反転させてもよい。
【００３０】
（２）実施形態においては１フレームごとに走査信号Ｙiの電圧の極性を反転させる構成
を例示したが、この反転の周期は任意である。例えば、２以上のフレームごとに走査信号
Ｙiの極性を反転させる構成も採用される。また、１水平走査期間の後半期間において走
査線１１に選択電圧が印加される構成を例示したが、前半期間に選択電圧を印加する構成
も採用される。また、実施形態においては、非選択の走査線１１に印加される電圧を電圧
ＶDHと電圧ＶDLとで交互に切り替える構成を例示したが、非選択の走査線１１に対しては
、選択電圧の極性に拘わらず１種類の非選択電圧のみを印加する構成としてもよい。
【００３１】
（３）実施形態においては、後半期間のうちその終点を含む期間にてデータ線１３に点灯
電圧が印加される構成を例示したが、点灯電圧が印加される期間（あるいは非点灯電圧が
印加される期間）は、後半期間および前半期間のうちその始点を含む期間であってもよい
し、後半期間および前半期間の各々における始点と終点との中間の期間であってもよい。
要するに、前半期間および後半期間において画像データＤgに応じた時間長にわたって点
灯電圧が印加される構成であれば足りる。もっとも、データ信号Ｘjを生成する方式はパ
ルス幅変調方式に限られない。例えば、データ信号Ｘjは、画像データＤgに応じたレベル
の電圧信号であってもよい。
【００３２】
（４）実施形態においては制御回路３７と電圧生成回路４１と電圧選択回路４３（４３ａ
，４３ｂ）が電気光学パネル１０の外部（例えば電気光学パネル１０に接合された配線基
板）に実装された構成を例示したが、これらの各回路が電気光学パネル１０に実装された
構成も採用される。また、走査線駆動回路３１（３１ａ，３１ｂ）、データ線駆動回路３
３、制御回路３７、電圧生成回路４１および電圧選択回路４３（４３ａ，４３ｂ）のうち
の一部または全部がひとつのＩＣチップに搭載された構成としてもよい。
【００３３】
（５）実施形態においては、二端子型非線形素子たるＴＦＤ素子１５１を備えたアクティ
ブマトリクス方式の電気光学装置Ｄを例示したが、この種の非線形素子を用いることなく
、帯状の電極の交差によって液晶を挟持したパッシブマトリクス方式の電気光学装置にも
本発明は適用される。また、実施形態においては、ＴＦＤ素子１５１がデータ線１３に接
続され、画素容量１５３が走査線１１に接続された構成を例示したが、これとは逆に、Ｔ
ＦＤ素子１５１が走査線１１に接続されるとともに画素容量１５３がデータ線１３に接続
された構成も採用される。
【００３４】
（６）本発明は、液晶装置以外の電気光学装置にも適用される。すなわち、電気信号に応
じて光学的な特性が変化する電気光学物質を利用して画像を表示する装置であれば実施形
態と同様に本発明が適用される。例えば、ＥＬ（Electro Luminescent）を電気光学物質
として用いたＥＬ表示装置や、着色された液体と当該液体に分散された白色の粒子とを含
むマイクロカプセルを電気光学物質として用いた電気泳動表示装置、極性が相違する領域
ごとに異なる色に塗り分けられたツイストボールを電気光学物質として用いたツイストボ
ールディスプレイ、黒色トナーを電気光学物質として用いたトナーディスプレイ、あるい
はヘリウムやネオンなどの高圧ガスを電気光学物質として用いたプラズマディスプレイパ
ネル（ＰＤＰ）など各種の電気光学装置に本発明が適用される。
【００３５】
＜Ｃ：電子機器＞
次に、本発明に係る電気光学装置を表示装置として備える電子機器について説明する。
図７は、実施形態に係る電気光学装置Ｄを有する携帯電話機の構成を示す斜視図である
。この図に示されるように、携帯電話機１２００は、利用者により操作される複数の操作
ボタン１２０２、他の端末装置から受信した音声を出力する受話口１２０４、および他の
端末装置に送信される音声を入力する送話口１２０６のほかに、各種の画像を表示する電
気光学装置Ｄを有する。
【００３６】
なお、本発明に係る電気光学装置が利用され得る電子機器としては、図７に示される携
帯電話機のほかにも、ノート型のパーソナルコンピュータや、液晶テレビ、ビューファイ
ンダ型（またはモニタ直視型）のビデオレコーダ、デジタルカメラ、カーナビゲーション
装置、ページャ、電子手帳、電卓、ワードプロセッサ、ワークステーション、テレビ電話
、ＰＯＳ端末、タッチパネルを備えた機器等などが挙げられる。何れの電子機器において
も、横クロストークを抑えた高品位の表示が簡易な構成によって実現される。
【図面の簡単な説明】
【００３７】
【図１】本発明の実施形態に係る電気光学装置の構成を示すブロック図である。
【図２】各画素の構成を示す回路図である。
【図３】電圧選択回路の動作を示すタイミングチャートである。
【図４】走査線駆動回路の構成を示すブロック図である。
【図５】走査線駆動回路の動作を示すタイミングチャートである。
【図６】データ線駆動回路の動作を示すタイミングチャートである。
【図７】本発明に係る電子機器の一例たる携帯電話機の構成を示す斜視図である。
【符号の説明】
【００３８】
Ｄ……電気光学装置、１０……電気光学パネル、１１……走査線、１３……データ線、Ｐ
……画素、１５１……ＴＦＤ素子、１５３……画素容量、３１（３１ａ，３１ｂ）……走
査線駆動回路、３１１……シフトレジスタ、３１３……電圧選択信号生成回路、３１５…
…セレクタ群、ＳＷ……スイッチ、３３……データ線駆動回路、３７……制御回路、４０
……電圧出力回路、４１……電圧生成回路、４３（４３ａ，４３ｂ）……電圧選択回路、
ＶSH……正極性の選択電圧、ＶSL……負極性の選択電圧、ＶDH……正極性の非選択電圧、
ＶDL……負極性の非選択電圧、Ｖc……基準電圧、Ｌ1……第１の電圧群、Ｌ2……第２の
電圧群、ＦＲ……交流化駆動信号、Ｙi……走査信号、Ｘj……データ信号。
【図１】
2006184653.tif 000003
【図２】
2006184653.tif 000004
【図３】
2006184653.tif 000005
【図４】
2006184653.tif 000006
【図５】
2006184653.tif 000007
【図６】
2006184653.tif 000008
【図７】
2006184653.tif 000009